(57)【特許請求の範囲】
【請求項１】
歯科用材料を硬化させるために設けられる歯科用光硬化装置（１０）であって、前記歯科用光硬化装置は、ハンドピース（２０）と、取り付け台と、を備え、前記ハンドピース（２０）は光源、具体的には−光軸の回りに−互いに隣接して配置される複数のＬＥＤチップ（４２，４４，４６，及び４８）を有する光源と、前記光源の制御装置（２２）と、前記光源に隣接して配置される少なくとも１つのセンサと、を有し、−この場合も同じく、前記光軸の回りには−光誘導器、具体的には導光ロッド（１２）が前記光源の前方に延設され、前記導光ロッド（１２）は、少なくとも青色可視光を含む、具体的には緑色可視光及びＵＶ光を更に含む波長通過帯域を有し、前記制御装置（２２）の制御プログラムを選択する選択装置、具体的には前記ハンドピース（２０）のプッシュボタンを有し、前記制御装置（２２）は更に、前記選択装置を介して選択することができる「前硬化」制御プログラムを含み、前記光硬化装置は、光硬化主波長帯域とは異なる副波長帯域で作動させることができ、前記光硬化装置の光放射線は、硬化対象の前記歯科用材料の感度帯域の外側にあることを特徴とし、少なくとも１つのセンサが前記副波長帯域で歯表面から反射される光を検出する場合に、前記制御装置（２２）は、歯科修復物、具体的には接着クラウンまたは接着ブリッジにおける過剰な接着糊（２８）を前硬化させるため、前記主波長帯域で前記光源を自動的にオンさせることを特徴とする歯科用光硬化装置。
【請求項２】
前硬化させて接着糊が塗布された前記クラウンの過剰な接着糊を除去するために要する前記副波長帯域における前記光源の作動時間は、３秒未満であり、具体的には１〜３秒であり、自動的に終了することを特徴とする請求項１に記載の歯科用光硬化装置。
【請求項３】
前記光源は、前記副波長帯域のパルス光を放出して歯検出を行なうことを特徴とする請求項１又は請求項２に記載の歯科用光硬化装置。
【請求項４】
前記光源は、幾つかのＬＥＤチップ（４２，４４，４６，及び４８）を備え、これらのＬＥＤチップは、互いに対して対称に１つの平面上に配置され、かつ共通プリント基板に実装され、１つのＬＥＤチップ（５０）が前記副波長帯域で発光し、他のＬＥＤチップ、具体的には２〜１０個のＬＥＤチップ（４２，４４，４６，及び４８）が前記主波長帯域で発光することを特徴とする請求項１乃至３のいずれかに記載の歯科用光硬化装置。
【請求項５】
前記少なくとも１つのセンサは、前記光源のＬＥＤチップ（４２，４４，４６，及び４８）のリフレクタの直ぐ横に隣接して配置される、具体的には、２つの隣接するＬＥＤチップ（４２，４４，４６，及び４８）の２つのリフレクタの直ぐ横に隣接して配置されることを特徴とする請求項１乃至４のいずれかに記載の歯科用光硬化装置。
【請求項６】
歯科用光硬化装置（１０）及び接着クラウンまたは接着ブリッジにより構成されるシステムであって、前記システムが、請求項１に記載の特徴を備えるシステム。
【請求項７】
歯科用材料を硬化させるために設けられる歯科用光硬化装置（１０）であって、前記歯科用光硬化装置は、ハンドピース（２０）と、取り付け台と、を備え、前記ハンドピース（２０）は光源、具体的には−光軸の回りに−互いに隣接して配置される複数のＬＥＤチップ（４２，４４，４６，及び４８）を有する光源と、前記光源の制御装置（２２）と、前記光源に隣接して配置される少なくとも１つのセンサと、を有し、前記光源は、青色光帯域及び／又は薄青色光帯域の光を放出する、具体的には更に、緑色光帯域及びＵＶ光帯域の光を放出し、前記制御装置（２２）の制御プログラムを選択する選択装置、具体的には前記ハンドピース（２０）のプッシュボタンを有し、前記制御装置（２２）は更に、前記選択装置を介して選択することができる「前硬化」制御プログラムを含み、前記光硬化装置は、光硬化主波長帯域とは異なる副波長帯域でオンすることができ、前記光硬化装置の光放射線は、硬化対象の歯科用材料の感度帯域の外側にあることを特徴とし、少なくとも１つのセンサが前記副波長帯域で歯表面から反射される光を検出する場合に、前記制御装置（２２）は、歯科修復物、具体的には接着クラウンまたは接着ブリッジにおける過剰な接着糊（２８）を前硬化させるため、前記主波長帯域で前記光源を自動的にオンさせることを特徴とする歯科用光硬化装置。
【発明の詳細な説明】
【技術分野】
【０００１】
本発明は、請求項１の序文に記載の歯科用材料を硬化させるために設けられる歯科用光硬化装置に関するものであり、更には、このような歯科用光硬化装置及び接着クラウンまたは接着ブリッジからなるシステムに関するものである。
【背景技術】
【０００２】
歯科用クラウンは歯根に、歯根またはクラウンのいずれかに、もしくは歯根及びクラウンの両方に、この目的に適した接着剤を塗布し、次にクラウンまたは歯根を互いに押し付けることにより接着される場合が多い。接着ジョイントの耐久性を確保するために、接着面の領域全体に接着剤を塗布することが極めて重要である。この目的のためには、過剰な接着剤を塗布し、次にこれらの部材を互いに押圧するように固着させて、過剰な接着剤が側面に部分的にはみ出すようにし、どんな場合でも接着面全体が接着剤で覆われるようにすることが長きにわたり知られている。
【０００３】
何十年にもわたって知られているこの手法は、歯科用セメント及び他の適切な接着剤を用いる場合に適用される。
【０００４】
それぞれの歯の表面及び歯科修復物の対向表面の両方の表面の接着剤が、必要な品質を保持するように常に注意を払う必要がある。通常、歯の表面は、最小限に僅かにエッチングされるだけであり、ａｄｈｅｓｉｏｎ  ａｇｅｎｔｓ（接着剤）と表記される作用物質が使用される。
【発明の概要】
【発明が解決しようとする課題】
【０００５】
使用する歯科修復物の材料によって異なるが、異なる接着剤が使用される。具体的には、複合材料の場合、光硬化性接着剤が使用される傾向がある。光硬化性接着剤は通常、歯科修復物が所定の力で押圧されると、接着隙間から、かつあらゆる箇所からはみ出す。
【０００６】
実際、この所謂過剰な接着剤は除去する必要があり、具体的には、光硬化性接着剤を用いる場合に、過剰な接着剤を除去するのは、接着剤で汚れ易くなるので難しい。
【０００７】
この点に関して、過剰な接着剤を部分的に硬化させて接着剤をゲル状にし、接着剤を簡単に剥がすことができるようにすることが提案されている。試験から、従来の光硬化装置をこの目的に使用すると、しかしながら、過剰な接着剤を除去することが難しい。例えば、材料を非常に高い度合いで硬化させると、材料を砕いて粉砕するのに非常に高いコストを要する、または材料で歯の間隙を埋めることが殆どできない、材料を十分に硬化させない場合、誰かが材料を除去しようとしても、材料で汚れてしまうことが分かっている。
【０００８】
しかしながら、過剰な接着剤を近心方向／遠心方向に残すと、すなわち歯の間隙に残すと、具体的には、堆積物及びバクテリアが、近づくのが難しい狭い内側の隅角に容易に集まるので、歯周炎が非常に簡単に起こる。
【０００９】
したがって、本発明は、請求項１の序文に記載の歯科用材料を硬化させるために設けられる光硬化装置、及び請求項１０の序文に記載の咬合調整システムであって、既知の問題を持たず、歯科用光硬化装置を追加する必要がない咬合調整システムを提供するという課題に基づいて考案されている。
【課題を解決するための手段】
【００１０】
この課題は、請求項１の発明により解決される。有利な変形は、従属請求項に基づいて行なわれる。
【００１１】
本発明によれば、独創的な制御プログラム「前硬化」を自動的に作動させることができることが特に好ましい。これは、特殊な近接センサにより特定の方法で独創的に確実に行なわれ、近接センサは、実際には、集積センサとして機能する。制御プログラムが選択されると直ぐに、光硬化装置または光硬化装置の制御装置がそれぞれ、過剰な接着剤を有する歯科用修復物への近接度を検出し、前硬化を高信頼性で、かつ所望の態様で確実に行なうための距離が十分短い場合に前硬化プログラムを自動的に作動させる。
【００１２】
例えば、２秒の一定タイミングで、接着ビーズを長くも短くもない時間をかけて硬化させて、接着ビーズが必ず、所望のゲル状で付着して、接着ビーズを歯の隙間から確実に除去することができる状態を確保することができる。汚れが発生することはなく、研削する必要を完全に無くすことができる。
【００１３】
本発明によれば、制御プログラム「前硬化」が早期に作動するのを防止することもできる。このように、光硬化装置の導光ロッドの発光面が歯の表面に十分近づく時点を独創的に検出することができる。この目的のために、例えば口腔粘膜の反射特性と歯科用修復物または歯の反射特性のそれぞれの間の差を使用する。まず、光硬化装置が副波長帯域の光、例えば緑色光を放出する。この光は、重合性接着剤の最大感度の波長帯域とは大きく異なる波長帯域にある。
【００１４】
光硬化装置のハンドピースでは、導光ロッド内を戻る光を検出するセンサが光源に隣接して設けられる。導光ロッドの発光面が過剰な接着剤に接近する場合、副波長帯域の光が特定の強度で反射される。反射光は、センサで検出され、制御装置の対応する制御信号が供給されて、制御プログラム「前硬化」を作動させる。
【００１５】
主波長帯域の重合光が次に放出され、かつ光源を所定の前硬化時間、例えば１〜３秒間だけ作動させることを理解されたい。
【００１６】
反射光と周囲光を更に容易に区別することができるために、副波長帯域の光をパルス状に出力するか、または正弦波形で出力することが好ましい。次に、センサによる検出が、反射光の検出振幅のサイズを利用して行なわれて、周囲光が考察対象から自動的に外れるようになる。
【００１７】
本発明によれば、制御プログラム「前硬化」が、例えばクラウンの全ての４つの側面で作動する場合が好ましい、すなわち、まず、遠心側／前庭側で作動し、次に遠心側／舌側で作動し、次に近心側／舌側で作動し、続いて近心側／前庭側で作動する場合が好ましい。
【００１８】
放射線量を正確に制御することにより、１つのビーズ状の過剰な接着剤を引き剥がすことができ、これにより作業が、今まで使用されてきた問題のある技法と比較してずっと容易になる。
【００１９】
更に別の利点、詳細、及び特徴は、本発明の好ましい実施形態についての以下の説明から、図面を参照することにより理解することができる。
【図面の簡単な説明】
【００２０】
【図１】図１は、光硬化装置及び過剰な接着剤が付着している歯科用修復物により構成される本発明によるシステムの模式図を示している。
【図２】図２は、図１の詳細の拡大図、すなわち過剰な接着剤及び光硬化装置の導光ロッドの前方端部の拡大図を示している。
【図３】図３は、導光ロッドの後方端部に位置するＬＥＤ光源及びセンサの分散配置の模式図を示している。
【発明を実施するための形態】
【００２１】
図１による実施形態では、歯科用光硬化装置１０が提供され、歯科用光硬化装置１０のうち、導光ロッド１２だけが図１に、ハンドピースの一部として見えている。さらに、光硬化装置は、取り付け台と、少なくとも１つの収納場所と、をそれ自体が周知の態様で備える。
【００２２】
導光ロッド１２のうち、ハウジングに近い方の端部には光源が設けられ、光源は、幾つかのＬＥＤチップを含んでいることが好ましい。ＬＥＤチップは、光を導光ロッド１２に供給し、光は、導光ロッド１２の前方端部１６から矢印１４に従って放出される。
【００２３】
矢印１８に従って反射される光は必ず、導光ロッド１２内を誘導されて、ＬＥＤチップの領域内に配置されるセンサに入射する。これについては、図３を参照されたく、参照することにより詳細な構成が明らかになる。
【００２４】
本発明がここに、導光ロッドについて説明されている場合でも、導光ロッドではなく、任意の他の導光装置、例えば可撓性導光体を本発明の範囲から逸脱することなく実現することができることを理解されたい。
【００２５】
模式的に図示されているハンドピース２０では、制御装置２２が設けられ、制御装置２２は、異なる制御プログラムを実行することができる。これらの制御プログラムの選択は、幾つかの場合では自動的に行なわれるだけでなく、他の場合では、例えばハンドピースのプッシュボタンとして実現される選択装置により行なわれる。
【００２６】
これらの制御プログラムのうちの１つの制御プログラムは、本明細書では、「ｐｒｅ−ｃｕｒｉｎｇ（前硬化）」と表記され、本明細書において更に詳細に説明されるように、独創的な方法で使用される。
【００２７】
図１に示す光硬化装置１０は、光を、歯根２６に固着される歯科修復物２４に照射する。歯科修復物が歯根に、接着剤を軟化状態で塗布した後に押し付けられて、過剰な接着剤２８が外周側面の接着隙間からはみ出すようになる。
【００２８】
これは、拡大図で表わされる図２に見ることができる。
【００２９】
歯科修復物２４に隣接して、近心方向または遠心方向のそれぞれの方向に、隣接する歯３０及び３２は、歯の間隙３４が、それ自体が周知の態様でかなり狭くなるように配置される。
【００３０】
図２によれば、接着隙間４０が生じ、接着隙間の幅は、図２では、歯科修復物２４と歯根２６との間に延びるように誇張して図示されている。過剰な接着剤２８は、ビーズ状に接着隙間の側面に形成される。本発明によれば、接着剤には、光硬化装置１０の導光ロッド１２の端部１６から放射線が照射される。
【００３１】
当該過程についてもまた、図３を参照することにより明らかになる。
【００３２】
図３は、例えば４７０ｎｍの第１最大発光波長を有する３つのＬＥＤチップを示している。更に別のＬＥＤチップ４８は、４１０ｎｍの最大発光波長を有する光を放出する。この波長帯域、及びこの波長帯域の両側の波長帯域は、主波長帯域を表わしている。更に、ＬＥＤチップ５０は、図３の副波長帯域を実現するために設けられ、このＬＥＤチップ５０は、図３の実施形態においては、中心に配置される。例えば、緑色光がＬＥＤチップ５０内で検出される。
【００３３】
ＬＥＤチップ４２，４４，４６を取り囲むセンサ５２，５４，５６，５８が設けられ、これらのセンサが反射放射線を検出する。
【００３４】
動作状態では、まず、ＬＥＤチップを副波長帯域５０で作動させる。制御装置２２は、図２による端部１６が歯科修復物２４に接近することにより過剰な接着剤２８に接近する時点を検出する。矢印６０に従って、放出放射線が接着剤２８で反射され、導光ロッド１２を介してセンサ５２〜５８に誘導される。この場合には、光源は主波長帯域で、かつ独創的な方法で作動する、すなわちチップ４２，４４，４６，及び４８を介して、例えば２．２秒の間作動して、過剰な接着剤２８をゲル状に変える。
【００３５】
この手順を−歯科修復物２４を基準とする−４つの空間隅角部から実施して過剰な接着剤２８のゲル化過程が確実に均一に進行するようにする。
【００３６】
これに続いて、光硬化装置１０の電源を自動的に遮断し、ゲル状の過剰な接着剤２８を手で容易に除去することができる。
【００３７】
放射線の種類、及び更には、露光の時間長を要求に応じて大きく適合させ、かつ「前硬化プログラム」に従って適合させることができることを理解されたい。また、光硬化装置を主波長帯域で作動させている間に、センサを作動状態に保持して、実施する露光処理を制御することができるようにする。
【００３８】
更に別の実施形態では、光源をハンドピース内でロッドの前方端部に位置決めし直すようにすることができ、当該ロッドはしたがって、導光ロッドとして構成されるのではなく、電圧供給兼冷却ロッドとして構成される。したがって、関連するセンサ３０が更に、ハンドピースの前方端部に配置され、実際には光源に隣接して配置され、好適には、光源の半径方向外側に配置される。
【図１】
0006592536.tif 000002
【図２】
0006592536.tif 000003
【図３】
0006592536.tif 000004